(57)【要約】    【課題】      複数の周波数帯において筐体を開いた状態と閉じた状態の両状態で高いアンテナ性能を有し、小型化及び低コスト化を実現する折り畳み式携帯無線機を提供すること。    【解決手段】  上ケース９と下ケース１０とがヒンジ部２で連結され、ヒンジ部２を中心として回動する折り畳み式携帯無線機において、上ケース９には、導電性フレーム１が装着され、下ケース１０内に配置された回路基板４は無線回路１２を備え、回路基板４にはグランドパターンが形成されている。ヒンジ部２は、導電性フレーム１に接続されたヒンジ金具５と、第１給電端子３を介して回路基板４上の配線パターンに接続されたヒンジ金具８と、これらを回動可能に支持する回転軸７とを有する。ヒンジ部２近傍に固定されたヘリカルアンテナ素子１４は、第２給電端子１５を介して回路基板４上の配線パターンに接続されている。第１給電端子３と第２給電端子１５は、無線回路１２から給電される。  【選択図】      図１
2006067133.tif 000002
【特許請求の範囲】
【請求項１】
第１筐体と、
前記第１筐体に設けられ、複数の周波数帯域を使用周波数帯域とする第１アンテナ素子と、
前記第１アンテナ素子に給電する第１給電部と、
第２筐体と、
前記第２筐体に設けられ、複数の周波数帯域を使用周波数帯域とする第２アンテナ素子と、
前記第２アンテナ素子に給電する第２給電部と、
前記第１筐体と前記第２筐体とを回動自在に連結するヒンジ部と、
前記第２筐体内部に設けられ、グランドパターンを有する回路基板と、
前記回路基板上に配設された無線回路と、
を具備し、
前記無線回路から、前記第１給電部と前記第２給電部とに電力を分配して給電することを特徴とする折り畳み式携帯無線機。
【請求項２】
前記ヒンジ部は、導電性の金属で構成された第１ヒンジ部及び第２ヒンジ部と、前記第１ヒンジ部と前記第２ヒンジ部とを電気的に接続すると共に、回動可能に支持する連結部とを有し、
前記第１ヒンジ部は、前記第１筐体に設けられ、前記第１アンテナ素子の前記ヒンジ部側の端部に電気的に接続されており、
前記第２ヒンジ部は、前記第２筐体に設けられ、前記回路基板上のグランドパターンと所定の間隔を隔てて配置され、かつ、前記第１給電部に電気的に接続されており、
前記第１アンテナ素子及び前記ヒンジ部と、前記回路基板上のグランドパターンとがダイポールアンテナとして動作することを特徴とする請求項１に記載の折り畳み式携帯無線機。
【請求項３】
前記第２アンテナ素子は、前記ヒンジ部近傍に設けられたことを特徴とする請求項１又は請求項２に記載の折り畳み式携帯無線機。
【請求項４】
前記第１アンテナ素子と前記第２アンテナ素子の主偏波方向が異なることを特徴とする請求項１から請求項３のいずれかに記載の折り畳み式携帯無線機。
【請求項５】
前記第２アンテナ素子は、主偏波方向が筐体の幅方向に対して平行であることを特徴とする請求項４に記載の折り畳み式携帯無線機。
【請求項６】
前記第１アンテナ素子又は前記第２アンテナ素子への給電を所定の周波数帯域で遮断又は通過するトラップ回路を具備することを特徴とする請求項１から請求項５のいずれかに記載の折り畳み式携帯無線機。
【発明の詳細な説明】
【技術分野】
【０００１】
本発明は、上部筐体と下部筐体とをヒンジ部で連結して開閉自在な機構を有し、開いた状態と閉じた状態とをとりうる折り畳み式携帯無線機に関する。
【背景技術】
【０００２】
近年、携帯電話等の携帯無線機に対する市場要求の動向として、デザイン性及び携帯性の向上が望まれており、折り畳み式携帯無線機が広く普及している。
【０００３】
日本では、８００ＭＨｚ帯を使用するＰＤＣ（Personal Digital Cellular）と２ＧＨｚ帯を使用するＷ−ＣＤＭＡ（Wideband-Code division Multiple Access）とを併用する携帯無線機が発売されている。
【０００４】
一方、海外でも、９００ＭＨｚ帯を使用するＧＳＭ（Global System for Mobile Communications）、１．８ＧＨｚ帯を使用するＤＣＳ（Digital Communication System）、１．９ＧＨｚ帯を使用するＰＣＳ（Personal Communication Services）、２ＧＨｚ帯を使用するＵＭＴＳ（Universal Mobile Telecommunications System）を併用する携帯無線機が発売されており、携帯無線機のアンテナにはマルチバンド化の要望が高まっている。
【０００５】
ところで、一般的な折り畳み式携帯無線機の筐体に内蔵されるアンテナとして、例えば、特許文献１には、上部筐体の一部を構成する導体をアンテナ素子とし、下部筐体から給電線を用いて給電する技術が開示されている。
【０００６】
また、他の内蔵アンテナとして、図１５（ａ）及び（ｂ）に示すように、上ケース９の一部を構成する導電性フレーム１及び導電性ヒンジ部２に無線回路１２から整合回路１１を介して給電することで、導電性フレーム１及び導電性ヒンジ部２と下ケース１０内の回路基板４上のグランドパターンとをダイポールアンテナとして動作させる技術が知られている。
【０００７】
また、突起型アンテナとして、例えば、図１６（ａ）及び（ｂ）に示すように、下ケース１０にヘリカルアンテナ素子１４及びその給電端子１５がヒンジ部２近傍に配置され、無線回路１２から整合回路１１を介して給電される技術が知られている。
【０００８】
また、他の一般的な折り畳み式携帯無線機のアンテナとして、例えば、特許文献２には、上下筐体の開閉を検出して複数のアンテナの中からひとつを選択する技術が開示されている。
【０００９】
さらに、他の一般的な携帯無線機のアンテナとして、例えば、特許文献３には、電力分配器によって複数のアンテナに同時に給電する技術が開示されている。
【特許文献１】特開２００２−３３５１８０号公報（第１図）
【特許文献２】特開２００２−３５４０７３号公報（第１図）
【特許文献３】特開２００２−７７００６号公報（第３図）
【発明の開示】
【発明が解決しようとする課題】
【００１０】
しかしながら、上述した一般的な折り畳み式携帯無線機において、特許文献１に開示された内蔵アンテナ及び図１５に示した内蔵アンテナでは、筐体を開いた状態でのアンテナ利得は高いが、筐体を閉じた状態では上部筐体の導体板と下部筐体の回路基板が平行に近接するため、放射抵抗が低下し、アンテナ効率が劣化する。特に、高周波数帯域（１．８ＧＨｚ帯乃至２ＧＨｚ帯）に比べて低周波数帯域（８００ＭＨｚ帯及び９００ＭＨｚ帯）では、閉じた状態でのアンテナ効率の劣化量が大きい。
【００１１】
また、図１６に示した突起型アンテナでは、閉じた状態でのアンテナ効率は高いが、開いた状態でのアンテナ利得は、特許文献１に開示された内蔵アンテナ及び図１５に示した内蔵アンテナに比べて低い。
【００１２】
また、特許文献２に開示されたアンテナでは、上下筐体の開閉検出手段、アンテナ切替手段及び切替制御手段が必要であり、アンテナ切替手段により損失が増加したり、複雑な構成を有することにより小型化及び低コスト化が困難であったりする。
【００１３】
また、特許文献３に開示されたアンテナでは、マルチバンド実現のために広い周波数範囲で動作する電力分配手段が必要であり、小型化及び低コスト化が困難である。
【００１４】
本発明はかかる点に鑑みてなされたものであり、複数の周波数帯において筐体を開いた状態と閉じた状態の両状態で高いアンテナ性能を有し、小型化及び低コスト化を実現する折り畳み式携帯無線機を提供することを目的とする。
【課題を解決するための手段】
【００１５】
本発明の折り畳み式携帯無線機は、第１筐体と、前記第１筐体に設けられ、複数の周波数帯域を使用周波数帯域とする第１アンテナ素子と、前記第１アンテナ素子に給電する第１給電部と、第２筐体と、前記第２筐体に設けられ、複数の周波数帯域を使用周波数帯域とする第２アンテナ素子と、前記第２アンテナ素子に給電する第２給電部と、前記第１筐体と前記第２筐体とを回動自在に連結するヒンジ部と、前記第２筐体内部に設けられ、グランドパターンを有する回路基板と、前記回路基板上に配設された無線回路と、を具備し、前記無線回路から、前記第１給電部と前記第２給電部とに電力を分配して給電する構成を採る。
【００１６】
この構成によれば、筐体を開いた状態では、第１アンテナ素子が高いアンテナ利得を得ることができ、筐体を閉じた状態では、第２アンテナ素子が高いアンテナ利得を得ることができるので、筐体を開いた状態でも閉じた状態でも複数の周波数帯域において高いアンテナ性能を確保することができると共に、簡易な構成とすることができる。
【００１７】
本発明の折り畳み式携帯無線機は、上記構成において、前記ヒンジ部が、導電性の金属で構成された第１ヒンジ部及び第２ヒンジ部と、前記第１ヒンジ部と前記第２ヒンジ部とを電気的に接続すると共に、回動可能に支持する連結部とを有し、前記第１ヒンジ部が、前記第１筐体に設けられ、前記第１アンテナ素子の前記ヒンジ部側の端部に電気的に接続されており、前記第２ヒンジ部が、前記第２筐体に設けられ、前記回路基板上のグランドパターンと所定の間隔を隔てて配置され、かつ、前記第１給電部に電気的に接続されており、前記第１アンテナ素子及び前記ヒンジ部と、前記回路基板上のグランドパターンとがダイポールアンテナとして動作する構成を採る。
【００１８】
この構成によれば、筐体を開いた状態において、第１アンテナ素子及びヒンジ部と、回路基板上のグランドパターンとがダイポールアンテナとして動作することにより、高いアンテナ性能を確保することができる。
【００１９】
本発明の折り畳み式携帯無線機は、上記構成において、前記第２アンテナ素子が、前記ヒンジ部近傍に設けられた構成を採る。
【００２０】
この構成によれば、第２アンテナ素子が前記ヒンジ部近傍に設けられたことにより、筐体を閉じた状態において、高いアンテナ効率を確保することができる。
【００２１】
本発明の折り畳み式携帯無線機は、上記構成において、前記第１アンテナ素子と前記第２アンテナ素子の主偏波方向が異なる構成を採る。
【００２２】
この構成によれば、第１アンテナ素子と第２アンテナ素子の主偏波方向が異なるため、特定の偏波方向を有する信号との偏波面の整合損を低減させることができる。
【００２３】
本発明の折り畳み式携帯無線機は、上記構成において、前記第２アンテナ素子が、主偏波方向が筐体の幅方向に対して平行である構成を採る。
【００２４】
この構成によれば、通話状態で折り畳み式携帯無線機を傾けて使用するため、筐体の幅方向に対して平行な主偏波により、垂直偏波成分の利得を向上させることができる。
【００２５】
本発明の折り畳み式携帯無線機は、上記構成において、前記第１アンテナ素子又は前記第２アンテナ素子への給電を所定の周波数帯域で遮断又は通過するトラップ回路を具備する構成を採る。
【００２６】
この構成によれば、例えば、筐体を閉じた状態でアンテナ効率が劣化するアンテナ素子への給電を遮断することにより、当該アンテナ素子からの放射が行われないので、電力を有効に利用することができる。
【発明の効果】
【００２７】
本発明によれば、複数の周波数帯において筐体を開いた状態と閉じた状態の両状態で高いアンテナ性能を有し、小型化及び低コスト化を実現する折り畳み式携帯無線機を提供することができる。
【発明を実施するための最良の形態】
【００２８】
以下、本発明の実施の形態について、図面を参照して詳細に説明する。なお、実施の形態において、同一の機能を有する構成には同一の符号を付し、重複する説明は省略する。また、実施の形態において、アンテナの動作周波数を９００ＭＨｚ帯及び２ＧＨｚ帯のデュアルバンドとして説明する。
【００２９】
（実施の形態１）
図１〜図３は、本発明の実施の形態１に係る折り畳み式携帯無線機の構成を開いた状態で示す。図１は折り畳み式携帯無線機の背面図であり、図２は折り畳み式携帯無線機の側面図であり、図３は折り畳み式携帯無線機の斜視図を示す。
【００３０】
図１〜図３において、折り畳み式携帯無線機は、上ケース９と下ケース１０とがヒンジ部２で連結され、ヒンジ部２を中心として回動することにより開いた状態と閉じた状態の２つの状態をとり得る。図４に折り畳み式携帯無線機の閉じた状態の側面図を示す。なお、上ケース９と下ケース１０は、絶縁体である樹脂の成型品である。
【００３１】
上ケース９の表面（＋Ｘ側の面）、すなわち、一般に主表示部が配置される面には、導電性フレーム１が装着されている。また、一般に、導電性フレーム１には、マグネシウム合金等の高い導電性を有し、かつ軽量で高い強度の金属が用いられる。これにより、薄型形状である上部筐体の強度を確保すると共に、導電性フレーム１がアンテナ素子としても動作する。導電性フレーム１の長辺の長さＬ１は、例えば９０ｍｍ程度である。
【００３２】
導電性フレーム１とヒンジ金具５とが、取付ネジ６で上ケース９に取り付けられることにより、導電性フレーム１とヒンジ金具５とが電気的に接続されると共に、上ケース９とヒンジ金具５とが機械的に固定される。
【００３３】
ヒンジ金具５とヒンジ金具８とが、連結手段としての回転軸７により回動可能に連結される。ヒンジ金具５、ヒンジ金具８及び回転軸７は導電性の金属で形成されており、それぞれの間の接触点において電気的に導通するものとする。これらのヒンジ金具５、ヒンジ金具８及び回転軸７によってヒンジ部２が構成されている。
【００３４】
ヒンジ金具８の一部と給電端子３とが取付ネジ１３で下ケース１０に取り付けられることにより、ヒンジ金具８と給電端子３とが電気的に接続されると共に、下ケース１０とヒンジ金具８とが機械的に固定される。
【００３５】
第１給電端子３は、下ケース１０の内部に配置された回路基板４上の配線パターンに、例えば、バネ接触や半田付けにより接続される。回路基板４は、携帯無線機の各種機能を実現する回路部品が実装されたプリント基板であり、そのほぼ全面に回路の接地電位となるグランドパターンが形成されている。
【００３６】
一方、ヘリカルアンテナ素子１４は、長さが１５ｍｍ乃至２０ｍｍ、外径が８ｍｍ程度であって、下ケース１０のヒンジ部２近傍に固定され、その第２給電端子１５は、下ケース１０の内部に配置された回路基板４上の配線パターンに、例えば、バネ接触や半田付けにより接続される。
【００３７】
第１給電端子３と第２給電端子１５は、回路基板４上の配線パターンの接続点１８に電気的に接続され、この接続点１８に回路基板４上の無線回路１２から整合回路１１を介して給電される。
【００３８】
次に、上記構成を有する折り畳み式携帯無線機の動作について説明する。無線回路１２から整合回路１１を介して供給された電力は、導電性フレーム１及び導電性ヒンジ部２（これらをまとめて「第１アンテナ素子」とする）とヘリカルアンテナ素子１４（これを「第２アンテナ素子」とする）とに分配される。このとき、第１アンテナ素子が、長さＬ２（例えば、１１０ｍｍ）の上側アンテナ素子として動作する。また、回路基板４上のグランドパターンが、長さＬ３（例えば、９０ｍｍ）の下側アンテナ素子として動作する。すなわち、第１アンテナ素子と回路基板４上のグランドパターンとがダイポールアンテナとして動作する。
【００３９】
整合回路１１は、第１アンテナ素子及び第２アンテナ素子のインピーダンスを無線回路１２の入力インピーダンス（一般には５０Ω）に整合する。ここで、ヒンジ金具８と回路基板４上のグランドパターンとの間隔Ｇを極力離す（例えば２ｍｍ以上）ことがアンテナ性能上望ましい。
【００４０】
図１〜図３に示す筐体を開いた状態では、第１アンテナ素子及び第２アンテナ素子の両素子が放射に寄与し、特に、第１アンテナ素子の放射抵抗が高いため、９００ＭＨｚ帯及び２ＧＨｚ帯の両周波数帯において高いアンテナ利得を得ることができる。
【００４１】
一方、図４に示す筐体を閉じた状態における第１アンテナ素子は、９００ＭＨｚ帯で放射抵抗が低下するが、筐体から突出する第２アンテナ素子は９００ＭＨｚ帯及び２ＧＨｚ帯の両周波数帯で放射抵抗が高いため、アンテナ効率の劣化を抑制することができる。
【００４２】
このように実施の形態１によれば、上ケースに装着された導電性フレームとこの導電性フレームに電気的に接続された導電性ヒンジ部とを第１アンテナ素子として、また、下ケースから突出したヘリカルアンテナ素子を第２アンテナ素子として、それぞれ９００ＭＨｚ帯と２ＧＨｚ帯に対応させ、第１アンテナ素子及び第２アンテナ素子に電力を分配することにより、筐体を開いた状態では、第１アンテナ素子が高いアンテナ利得を得ることができ、筐体を閉じた状態では、第２アンテナ素子が高いアンテナ利得を得ることができるので、筐体を開いた状態でも閉じた状態でも複数の周波数帯において高いアンテナ性能を確保することができると共に、簡易な構成とすることができるので、小型化及び低コスト化を実現することができる。
【００４３】
なお、本実施の形態では、第１アンテナ素子を筐体の導電性フレームを用いた内蔵アンテナとし、第２アンテナ素子を突起型アンテナとする場合について説明したが、アンテナの種類はこれに限るものではなく、例えば、伸縮式アンテナやその他の内蔵アンテナであってもよい。
【００４４】
また、本実施の形態では、第１アンテナ素子を上ケース９に配設し、第２アンテナ素子を下ケース１０のヒンジ部２近傍に配設する場合について説明したが、各アンテナ素子の配設位置はこれに限るものではなく、例えば、一般に送話部の近傍となる下ケース１０の下端部に配置してもよい。ただし、手で保持されることによるアンテナ性能の劣化を回避するようにアンテナを配設することが望ましい。
【００４５】
また、本実施の形態では、第１アンテナ素子が導電性フレーム１及び導電性ヒンジ部２で構成される場合について説明したが、これらが絶縁体である樹脂の成型品の場合は、上ケース９内の導体板に給電線を用いて給電してもよい。一般に、上ケース９内の導体板には、回路基板の配線パターン、シールドケースや主表示部を保持する導電性フレームが用いられる。
【００４６】
また、本実施の形態では、第１給電端子３と第２給電端子１５を回路基板４上の配線パターンで電気的に接続する場合について説明したが、接続の方法はこれに限るものではなく、例えば、図５に示すように第２アンテナ素子の給電端子として別の給電端子１９を用いて第１給電端子３と第２給電端子１９の一部を重ねた部位で第１給電端子３と第２給電端子１９とが取付ネジ１３で下ケース１０に取り付けられることにより、第１給電端子３と第２給電端子１９とが電気的に接続されてもよい。さらには、第１給電端子３と第２給電端子１９とを一体成型することにより、部品点数を削減することができる。また、回路基板４上の配線パターンで直接接続する他に、所望の周波数帯域で動作する電力分配器や方向性結合器を用いて第１アンテナ素子及び第２アンテナ素子に電力を分配してもよい。
【００４７】
（実施の形態２）
図６〜図８は、本発明の実施の形態２に係る折り畳み式携帯無線機の構成を開いた状態で示す。図６は折り畳み式携帯無線機の背面図であり、図７は折り畳み式携帯無線機の側面図であり、図８は折り畳み式携帯無線機の斜視図を示す。
【００４８】
図６〜図８が図１〜図３と相違する点は、第２アンテナ素子として、ヘリカルアンテナ素子１４に代えて、モノポールアンテナ素子１６を用いることである。
【００４９】
モノポールアンテナ素子１６は、ロの字形状であって、その１辺に切欠部を有する形状を有し、その長辺が筐体の幅方向（Ｙ軸方向）と平行に、短辺が筐体の長手方向（Ｚ軸方向）と平行になるように、ヒンジ金具８の近傍に配置されている。また、モノポールアンテナ素子１６の１つの頂点部分に第２給電端子１５が接続されている。
【００５０】
ここで、モノポールアンテナ素子１６の詳細な構成を図９に示す。図９において、第２給電端子１５との接続点である頂点部分から一端までの長さが、９００ＭＨｚ帯における約４分の１波長（自由空間において約８３ｍｍ）の主素子部１６ａと、第２給電端子１５との接続点である頂点部分から一端までの長さが、２ＧＨｚ帯における約４分の１波長（自由空間において約３８ｍｍ）の副素子部１６ｂとでモノポールアンテナ素子１６を形成している。また、主素子部１６ａ、副素子部１６ｂともにその主要部分は筐体の幅方向（Ｙ軸方向）に対して平行である。
【００５１】
なお、主素子部１６ａ及び副素子部１６ｂは、例えば、下部ケース１０を構成する樹脂製ケースに貼付することで波長が短縮される。
【００５２】
次に、上記構成を有する折り畳み式携帯無線機の動作について説明する。無線回路１２から整合回路１１を介して供給された電力は、第１アンテナ素子と第２アンテナ素子とに分配される。
【００５３】
筐体を開いた状態では、第１アンテナ素子及び第２アンテナ素子の両素子が放射に寄与し、特に、第１アンテナ素子の放射抵抗が高いため、９００ＭＨｚ帯及び２ＧＨｚ帯の両周波数帯において高いアンテナ利得を得ることができる。
【００５４】
一方、筐体を閉じた状態における第１アンテナ素子は、９００ＭＨｚ帯で放射抵抗が低下するが、第２アンテナ素子は９００ＭＨｚ帯及び２ＧＨｚ帯の両周波数帯において放射抵抗が高いため、アンテナ効率の劣化を抑制することができる。
【００５５】
ここで、折り畳み式携帯無線機を用いた通話状態について説明する。図１０は、使用者が折り畳み式携帯無線機を開いた状態で右手に持ち、右耳にあてている状態を示す。一般に、折り畳み式携帯無線機の長手方向（Ｚ軸方向）と地面との角度αは３０°程度である。第２アンテナ素子のうち、長方形状のモノポールアンテナ素子１６の長辺部分を形成する２ＧＨｚ帯用の副素子部１６ｂは筐体の幅方向（Ｙ軸方向）に対して平行であることから、第２アンテナ素子の主偏波は第１アンテナ素子の主偏波とは異なり、幅方向（Ｙ軸方向）に対して平行となる。このため、図１０に示す通話状態において地面に対する垂直偏波成分の利得が向上する。
【００５６】
陸上移動通信の多重波環境における一般的な交差偏波電力比は４〜９ｄＢであり、到来波の垂直偏波の電力が水平偏波の電力より４〜９ｄＢ高いことが知られている。図１０に示す通話状態における折り畳み式携帯無線機のアンテナの主偏波が、地面に対して垂直となるため、高いアンテナ性能を確保できる。
【００５７】
このように実施の形態２によれば、実施の形態１に係る折り畳み式携帯無線機により得ることができる効果に加えて、主偏波の異なる第１アンテナ素子と第２アンテナ素子を同時に励振することにより、基地局との通信における偏波面の整合損を低減できるため、高いアンテナ性能を確保することができ、また、主偏波が折り畳み式携帯無線機の幅方向に対して平行になるようにアンテナ素子を設けることにより、通話状態で折り畳み式携帯無線機を傾けて使用するため、垂直偏波成分の利得が向上し、高いアンテナ性能を確保することができる。
【００５８】
なお、本実施の形態では、モノポールアンテナ素子１６がロの字形状であって、その１辺に切欠部を有する形状を有し、その長辺が筐体の幅方向（Ｙ軸方向）と平行に、短辺が筐体の長手方向（Ｚ軸方向）と平行であっても、主素子部１６ａ、副素子部１６ｂの主要部分が筐体の幅方向（Ｙ軸方向）に対して平行であれば同様の効果が得られる。
【００５９】
（実施の形態３）
図１１〜図１３は、本発明の実施の形態３に係る折り畳み式携帯無線機の構成を開いた状態で示す。図１１は折り畳み式携帯無線機の背面図であり、図１２は折り畳み式携帯無線機の側面図であり、図１３は折り畳み式携帯無線機の斜視図を示す。
【００６０】
図１１〜図１３が図１〜図３と相違する点は、整合回路１１と第１給電端子３と第２給電端子１５の間にトラップ回路１７を挿入し、無線回路１２から整合回路１１を介して第２給電端子１５に給電している点である。
【００６１】
トラップ回路１７は、誘導性インピーダンス素子と容量性インピーダンス素子との直列又は並列共振回路であり、例えば、図１４（ａ）に示すコイルとコンデンサの直列共振回路で９００ＭＨｚ帯の信号を遮断するように設定されている。
【００６２】
次に、上記構成を有する折り畳み式携帯無線機の動作について説明する。無線回路１２から整合回路１１を介して供給された電力は、２ＧＨｚ帯においては第１アンテナ素子と第２アンテナ素子とに分配される。このとき、筐体を開いた状態では、第１アンテナ素子及び第２アンテナ素子の両素子が放射に寄与し、特に第１アンテナ素子の放射抵抗が高いため、高いアンテナ利得を得ることができる。
【００６３】
一方、筐体を閉じた状態では、第１アンテナ素子は放射抵抗が低下するが、第２アンテナ素子は放射抵抗が高いため、アンテナ効率の劣化を抑制することができる。
【００６４】
ところで、９００ＭＨｚ帯においてはトラップ回路１７によって第２アンテナ素子のみが励振され、筐体の開閉によらず、第２アンテナ素子のみが放射に寄与する。筐体を開いた状態では第２アンテナ素子と上ケース９内の導電性材料が結合してアンテナの実効体積が増加するため、高いアンテナ利得を得ることができ、筐体を閉じた状態では放射抵抗が高いため、高いアンテナ効率を得ることができる。
【００６５】
このように実施の形態３によれば、筐体を閉じた状態において所定の周波数帯でアンテナ効率が劣化するアンテナ素子の給電線に、該周波数帯の信号を遮断するトラップ回路を設けることにより、筐体を閉じた状態において該周波数帯でアンテナ効率が劣化するアンテナ素子からの放射が行われないので、電力を有効に利用することができる。
【００６６】
なお、本実施の形態では、トラップ回路１７として図１４（ａ）に示す９００ＭＨｚ帯の信号を遮断するコイルとコンデンサの直列共振回路を用いる場合について説明したが、例えば、図１４（ｂ）に示すコイルとコンデンサの並列共振回路を用いて２ＧＨｚ帯の信号が通過するように設定してもよい。
【００６７】
また、本実施の形態では、第１アンテナ素子への給電を所定の周波数帯域で遮断又は通過するトラップ回路を用いる場合について説明したが、第１アンテナ素子及び第２アンテナ素子の種類や配置が異なる場合には、第２アンテナ素子への給電を所定の周波数帯域で遮断又は通過するトラップ回路を用いるようにして、複数の周波数帯において筐体を開いた状態と閉じた状態の両状態で高いアンテナ性能を確保するように構成してもよい。
【産業上の利用可能性】
【００６８】
本願発明にかかる折り畳み式携帯無線機は、簡素な構成で複数の周波数帯において筐体を開いた状態と閉じた状態の両状態で高いアンテナ性能を確保できるという効果を有し、上部筐体と下部筐体とをヒンジ部で連結して開閉自在な機構を有する折り畳み式携帯無線機等として有用である。
【図面の簡単な説明】
【００６９】
【図１】本発明の実施の形態１に係る折り畳み式携帯無線機の構成を開いた状態で示す背面図
【図２】本発明の実施の形態１に係る折り畳み式携帯無線機の構成を開いた状態で示す側面図
【図３】本発明の実施の形態１に係る折り畳み式携帯無線機の構成を開いた状態で示す斜視図
【図４】本発明の実施の形態１に係る折り畳み式携帯無線機の閉じた状態を示す側面図
【図５】給電端子の接続方法を示す図
【図６】本発明の実施の形態２に係る折り畳み式携帯無線機の構成を開いた状態で示す背面図
【図７】本発明の実施の形態２に係る折り畳み式携帯無線機の構成を開いた状態で示す側面図
【図８】本発明の実施の形態２に係る折り畳み式携帯無線機の構成を開いた状態で示す斜視図
【図９】本発明の実施の形態２におけるモノポールアンテナ素子の詳細な構成を示す図
【図１０】本発明の実施の形態２に係る折り畳み式携帯無線機を用いた通話状態を示す図
【図１１】本発明の実施の形態３に係る折り畳み式携帯無線機の構成を開いた状態で示す背面図
【図１２】本発明の実施の形態３に係る折り畳み式携帯無線機の構成を開いた状態で示す側面図
【図１３】本発明の実施の形態３に係る折り畳み式携帯無線機の構成を開いた状態で示す背斜視図
【図１４】本発明の実施の形態３におけるトラップ回路の構成を示す図
【図１５】一般的な折り畳み式携帯無線機の筐体に内蔵されるアンテナの構成を示す図
【図１６】突起型アンテナを備える一般的な折り畳み式携帯無線機の構成を示す図
【符号の説明】
【００７０】
１  導電性フレーム
２  ヒンジ部
３  第１給電端子
４  回路基板
５、８  ヒンジ金具
６、１３  取付ネジ
７  回転軸
９  上ケース
１０  下ケース
１１  整合回路
１２  無線回路
１４  ヘリカルアンテナ素子
１５、１９  第２給電端子
１６  モノポールアンテナ素子
１７  トラップ回路
１８  接続点
【図１】
2006067133.tif 000003
【図２】
2006067133.tif 000004
【図３】
2006067133.tif 000005
【図４】
2006067133.tif 000006
【図５】
2006067133.tif 000007
【図６】
2006067133.tif 000008
【図７】
2006067133.tif 000009
【図８】
2006067133.tif 000010
【図９】
2006067133.tif 000011
【図１０】
2006067133.tif 000012
【図１１】
2006067133.tif 000013
【図１２】
2006067133.tif 000014
【図１３】
2006067133.tif 000015
【図１４】
2006067133.tif 000016
【図１５】
2006067133.tif 000017
【図１６】
2006067133.tif 000018